(57)【要約】      （修正有）【課題】外装布を着脱可能に固定して外観を変更させられるようにした和装帯及びその外装布において、胴巻とのバランスを崩すことなく帯全体のイメージを変化させられるようにすること。【解決手段】上胴部の外側に重ね合わせる外装布を係止するための係止具を上胴部の背面部近傍に付設し、太鼓部の外側に重ね合わせる外装布を係止するための係止具を太鼓部の端部近傍と垂れ先の内側とに付設する。【選択図】  図１
2005325463.tif 000002
【特許請求の範囲】
【請求項１】
外装布を着脱可能に固定して外観を変更させられるようにした和装帯において、上胴部の外側に重ね合わせる外装布を係止するための係止具を上胴部の背面部近傍に付設し、太鼓部の外側に重ね合わせる外装布を係止するための係止具を太鼓部の端部近傍と垂れ先の内側とに付設した和装帯。
【請求項２】
上胴部の外側に外装布を重ね合わせて上胴部の係止具に固定し、太鼓部の外側に外装布を重ね合わせ太鼓部の係止具に固定した請求項１に記載の和装帯。
【請求項３】
和装帯の太鼓部と胴巻部とを別体とした請求項１又は２に記載の和装帯。
【請求項４】
外装布が胴巻部と同じかそれより小さい幅とし上胴部と略同じ長さとした請求項１、２又は３に記載の胴巻部上胴部用の外装布。
【請求項５】
外装布が太鼓部と同じかそれより小さい幅とし太鼓部よりやや長い長さとした請求項１、２又は３に記載の太鼓部用の外装布。
【発明の詳細な説明】
【技術分野】
【０００１】
本発明は、外装布を着脱可能に固定して外観を変更させられるようにした和装帯及びこれに使用する外装布に関するものである。
【背景技術】
【０００２】
この種の和装帯としては、特許文献１に開示のものが公知である。
この和装帯は、袋状に形成した外装布内に太鼓部を収納させ、外装布袋の開口部を太鼓部と胴巻部との境界に取り付けた留め具に固定させる構成を採用したものである。異なる生地やそれに表した図柄や色彩によって外装布袋を適宜選択し、これを帯に取り付けることによって、帯の外観に変化を持たせ、流行や好みに対応できることが可能となる。
【０００３】
しかしながら、この公知の帯では、外装布が袋状となっているために帯の耳部の仕上がりが不自然となる。しかも太鼓部全体が包み込まれて厚みも大きくなるから、太鼓部の結び姿がボッタリとした感じとなり、キリッとした結び姿を形成できないし、重たく見えてしまう不都合がある。
また、喪装用の黒共帯では、太鼓部の色彩や模様を変化させても、胴巻部は黒のままであるから、色彩や図柄において違和感が生じてしまう不都合もある。
【特許文献１】実公昭９−１５２４１号公報
【発明の開示】
【発明が解決しようとする課題】
【０００４】
本発明は、外装布を着脱可能に固定して外観を変更させられるようにした和装帯及びその外装布において、外装布の使用を選択できるようにすると共に、外装布の使用を選択した場合には胴巻とのバランスを崩すことなく帯全体のイメージを変化させられるようにすること課題としたものである。
【課題を解決するための手段】
【０００５】
この技術的課題を解決するための技術的手段は、（イ）上胴部の外側に重ね合わせる外装布を係止するための係止具を上胴部の背面部近傍に付設し、（ロ）太鼓部の外側に重ね合わせる外装布を係止するための係止具を太鼓部の端部近傍と垂れ先の内側とに付設したこと、である。
【０００６】
上胴部用の外装布を固定するための係止具は、上胴部の背面部近傍に付設させられているから、外装布を上胴部の外側に重ねて固定することができる。
いずれも帯の結び姿の裏側に位置することになるから、外装布を使用しない場合であっても係止具自体が露出することはない。
外装布を固定させた場合には、その端部を露出させずに上胴部の外側が安定した状態で覆われ、着崩れが生じることもない。帯の装着時には側縁部も自然に現れるから、帯装着時の外観において違和感が生じることはない。
【０００７】
太鼓部用の外装布を固定するための係止具は、太鼓部の端部近傍と垂れ先の内側にそれぞれ設けられていて、外装布を太鼓部の外側に重ねて固定することができる。
いずれの係止具も結び姿の裏側に位置することになるから、上胴部の場合と同様に、外装布を使用しない場合であっても係止具自体が露出することはない。また、外装布を太鼓部に固定した場合に、その端部が露出することはない。
装着時に帯の耳部をそのままにして自然な結び姿を形成することができる。
【０００８】
上記の太鼓部の端部近傍とは、通常の帯では胴巻部との境界近傍を意味し、後述する二部式の帯では、文字通り別体に形成した太鼓部の端部付近を意味する。
なお、垂れ先側の外装布の係止具は、表太鼓部と裏太鼓部の境界の折目を反転させて表裏の太鼓部の間へ断面Ｍ字状に折り込んだ間に設けたたり、垂れ先の裏側に設けることが望ましい。
【０００９】
本発明では、外装布を使用しなくても帯を装着することができる。外装布を使用する場合には、胴巻部の上胴部と太鼓部の双方に外装布を添装することができるから、帯の種類や色などの影響を受けることなく帯の外観を選択することが可能となり、胴巻とのバランスを崩すことなく帯全体のイメージを変化させることができる。
【発明の効果】
【００１０】
その結果、外装布を適宜選択することによって、元の帯の図柄や色彩の影響を受けることなく各ひとの好みや流行に適合させられる利点がある。
また、黒共帯であっても、上胴部と太鼓部の色彩や図柄を同時に変えられる結果、これをベースにしたおしゃれ帯を形成できる利点もある。
【００１１】
上記の技術的手段は、太鼓部と胴巻部とを別体に構成した、いわゆる二部式帯に適用することができる。
この場合、上胴部用の外装布を取り付ける位置は変わらないが、太鼓部の胴巻部側が常時上胴部の背中に密接させられるから、外装布の一方の係止具を胴巻部側の端部付近に配置しておけばよいことになる。外装布の他端、すなわち垂れ先側の外装布の固定位置は、前記の帯と同様にしておくことができる。
【００１２】
上胴部用の外装布はその幅を胴巻部の幅と同じとし、長さを上胴部と略同じ長さに構成しておくことが望ましい。また、この幅を胴巻部の幅よりやや小さく形成すると、元の帯地の色彩や図柄を上胴部の縁部に残してこれと外装布との組み合わせた新しい図柄の上胴部を形成することができる。
また、太鼓部用の外装布は、その幅を太鼓部と同じに形成しておくと、太鼓部を一新した色彩や図柄の太鼓部を形成することができる。他方、外装布の幅を太鼓部の幅より小さく形成すると、上記と同様に、元の帯地の色彩や図柄を太鼓部の縁部に残してこれと外装布との組み合わせた新しい図柄の太鼓部を形成することができる。
【００１３】
外装布の係止具としては、面ファスナーを好適に使用することができる。着脱が極めて簡便であるし、帯と共に屈曲させられるから違和感もない。勿論、小さなフック、ホック、ボタンなどの公知の係止具を使用することもできる。
【実施例１】
【００１４】
図１は、名古屋帯１の展開図を示したものである。この帯１は、半幅に仕立てた手先部２及び胴巻部３に並幅の太鼓部１１を連続させた構成となっている。
胴巻部３は下胴部４と上胴部５とで構成してあって、この実施例では、上胴部５において太鼓部１１との境界１０から約１５cm（４寸）に面ファスナー６を縫着し、このファスナーとは約９０cm（２尺４寸）の間隔を持たせて手先２側にもう一つの面ファスナー７が縫着してあって、上胴部と略同幅に形成した外装布８の両端部を部面ファスナー６、７に固定させている。
なお、このファスナー６、７は、胴巻部を右巻きにして装着する場合を示しているが、左巻きの場合には反対側に取り付けることになる。
【００１５】
太鼓部１１は表太鼓１２とその先に連接して折り返した裏太鼓１３とで構成してあり、折り返して重ね合わせた状態で耳部同志を縫着させている。
帯の垂れ先部１４を形成する、すなわち表太鼓１２と裏太鼓１３の折り返し部は、折目を反転させて表裏の太鼓部の間へ臨ませてあり、本実施例では、折り返し面の表太鼓部側に面ファスナー１５を縫着した。
太鼓部１１の胴巻部側の端部には、三角状の折目の胴巻部側の左右に面ファスナー１６、１６を縫着させている。
【００１６】
太鼓部用の外装布１７は、太鼓部の幅より小さい幅に形成してあり、その両側に太鼓部の色彩や図柄を外観させて両者の色彩や図柄を融合させるようにしている。
この外装布１７の一端は、両側を三角状に折り曲げてファスナー１６、１６に固定し、垂れ先側は折り曲げてその先端を前記折り返し部内に臨ませてファスナー１５に固定させている。
なお、太鼓部用の外装布１７は、結び姿において隠れる部分で外装布の側縁部から紐や支持片（図示せず）を突出させ、これを太鼓部の裏側に固定させるてその取付状態を安定させることが望ましい。勿論、結び姿において隠れる部分で面ファスナーなどの係止具を使用して安定させるようにすることも可能である。
【００１７】
この実施例においては、胴巻部側の端部と太鼓部の垂れ先１４に外装布１７を固定するようにしているが、垂れ先側を固定せずに、太鼓部１１と外装布１７とを利用して変わり結びないし創作結びを行うことができる。
袋帯ではこれらの結び方がよく行われているが、名古屋帯では変わり結びの種類は限定されていた。外装布の垂れ先側を固定しない構成を採用すると、太鼓部が二枚に分割できるため、新しい結び姿を創案することができることになる。
なお、手先部分にも外装布を固定できるようにしておいても良い。
【実施例２】
【００１８】
図２は、二部式の帯の太鼓部２１の裏面展開図である。
一般的な二部式帯は、基本的には胴巻部と太鼓部とを分断しただけ構成であり、胴巻部の上胴と太鼓部にそれぞれ外装布をとり付けることになる。太鼓部では、外装布の一端を垂れ先とは反対側の端部付近に適宜の方法によって取り付けることになる。
【００１９】
本実施例では太鼓部で簡易に太鼓結びができるようにしたものを示している。
胴巻部は、例えば実施例１の胴巻部を独立させて手先部を除き、その両端部に紐などの固定具を取り付けた構成のものであればよいから、図示を省略している。
この太鼓部は約９３cm（２尺４寸５分）の長さに仕立ててあり、表面側の一端部の内方に重ね合わせた外装布２５の一端を固定するための面ファスナー２７を縫着している。
面ファスナー２７に一端を固定した外装布は２５を帯２１の表面に重ね合わせ、垂れ先部２２で折り返して裏面側へ臨ませている。帯２１の他端側の裏面にポケット２４が設けてあり、垂れ先から約１９cm（５寸）の位置にそのポケットの開口部２３を設け、外装布２５の端部をそのポケット２４内に進入させてポケット内に縫着した面ファスナー２８に固定させている。
【００２０】
帯２１を谷折線ａ、ｂの順にしたがって折り畳むと、容易に太鼓結びを完成させることができるようにしている。
この帯を胴巻部の背中に当てて枕や帯締めなどを使用して胴巻部と一体的に装着すると、あたかも名古屋帯で太鼓結びをした形態と同一の結び姿となる。
【００２１】
実施例２では、帯２１を内側へ折り畳む方式を採用しているが、通常の結び方によって太鼓結びを形成することもできる。
なお、二部式の帯では手先部分を飾りとして太鼓部側に取り付けたものがあるが、帯２１に手先３０取り付ける場合には、図２の一点鎖線で示した帯の表側（外装布との間）に取り付けることが望ましい。
【図面の簡単な説明】
【００２２】
【図１】仕立てた名古屋帯の展開図
【図２】二部式帯の太鼓部部分の裏面展開図
【符号の説明】
【００２３】
１名古屋帯、  2、30手先部、  ３胴巻部、  ５上胴部、  6、7、15、16、27、28 面ファスナー、  ８、17、25 外装布、  11太鼓部、  12表太鼓部、  13裏太鼓部、  14垂れ先部、21二部式帯の太鼓部、  23ポケットの開口部、  24ポケット
【図１】
2005325463.tif 000003
【図２】
2005325463.tif 000004